(57)【要約】【課題】連結パネルと、正面パネルおよび底面パネルを平面的に連結できるようにし、または直角的に連結できるようにして天井面に吊下げ設置でき、天井裏に底面吹出しまたは正面吹出しで設置でき、床面上にも設置でき、且つ壁体にも埋込設置できるようにしたダクトタイプの空気調和機を提供する。【解決手段】本体を天井面、天井裏または床面上に設置、もしくは壁体に埋込設置する場合、設置形態に応じて正面パネル９、連結パネル１０、底面パネル７、吸込グリル６、側面パネル１１およびチャンバーなどの構成部材を適宜組み合わせると共に、第二係合手段１３ｂ  により連結するなどして設置形態を変えることにより設置できるようにした。【選択図】  図１
2004245502.tif 000002
【特許請求の範囲】
【請求項１】
底面に吸込口を備え、正面に吹出口を備え、同吸込口と同吹出口とを結ぶ空気通路に熱交換器および送風機を配設してなる本体と、前記吸込口に対応する吸込グリルを備え、本体の底面に装着される底面パネルと、前記吹出口に対応する吹出グリルを備え、本体の正面に装着される正面パネルと、これら正面パネルと底面パネルとを着脱可能に連結する連結パネルと、本体の両側面に装着される側面パネルと、前記吹出口に連通して風向を偏向するチャンバーと、前記正面パネルと、前記連結パネルおよび前記底面パネルとを互いに平面的に設置するように係合し、前記連結パネルの前後両端に設けられた第一折返片と、同両第一折返片に対応して前記正面パネルの後端および前記底面パネルの前端に設けられたＬ字状の係合片とからなる第一係合手段と、前記正面パネルと、前記連結パネルおよび前記底面パネルとを互いに直角的に設置するように係合し、前記前端の第一折返片と、同第一折返片に対応して前記正面パネルの前端に設けられた第二折返片と、前記後端の第一折返片に対応する前記係合片とからなる第二係合手段とで構成され、
本体を天井面、天井裏または床面上に設置する場合、設置形態に応じて上記構成でなる部材を適宜組み合わせると共に、前記第一係合手段または前記第二係合手段により係合して、前記正面パネルと、前記連結パネルおよび前記底面パネルとを平面的に、または直角的に設置できるようにしてなることを特徴とする空気調和機。
【請求項２】
吊下設置型として天井面から吊下げる場合、前記底面パネル、前記連結パネル、前記正面パネル、前記吸込グリルおよび前記側面パネルを組み合わせると共に、前記第二係合手段により前記底面パネル、前記連結パネルおよび前記正面パネルを係合して本体に装着するようにしてなることを特徴とする請求項１に記載の空気調和機。
【請求項３】
底面吹出型として天井裏に設置する場合、天井面に前記底面パネル、前記連結パネルおよび前記正面パネルに対応する開口部を連続的に形成する一方、前記チャンバーを接続し、同チャンバーを臨ませた前記底面パネル、前記連結パネル、前記正面パネルおよび前記吸込グリルを組み合わせると共に、前記第一係合手段により前記底面パネル、前記連結パネルおよび前記正面パネルを係合して本体に装着するようにしてなることを特徴とする請求項１に記載の空気調和機。
【請求項４】
正面吹出型として天井裏に設置する場合、天井面に前記底面パネルおよび前記連結パネルに対応する第一開口部を形成すると共に、天井裏の正面壁に前記正面パネルに対応する第二開口部を形成する一方、前記正面パネル、前記連結パネル、前記底面パネルおよび前記吸込グリルを組み合わせると共に、前記第二係合手段により前記底面パネル、前記連結パネルおよび前記正面パネルを係合して本体に装着するようにしてなることを特徴とする請求項１に記載の空気調和機。
【請求項５】
床面設置型として床面上に設置する場合、前記底面パネル、前記連結パネル、前記正面パネル、前記吸込グリルおよび前記側面パネルを組み合わせると共に、前記第二係合手段により前記底面パネル、前記連結パネルおよび前記正面パネルを係合して本体に装着するようにしてなることを特徴とする請求項１に記載の空気調和機。
【請求項６】
底面に吸込口を備え、正面に吹出口を備え、同吸込口と同吹出口とを結ぶ空気通路に熱交換器および送風機を配設してなる本体と、前記吸込口に対応する吸込グリルを備え、本体の底面に装着される底面パネルと、前記吹出口に対応する吹出グリルを備え、本体の正面に装着される正面パネルと、前記吹出口に連通して風向を偏向するチャンバーとで構成され、
埋設型として壁体内に埋設する場合、本体に前記チャンバーを接続すると共に、壁体に同チャンバーに連通する第三開口部および前記吸込口に連通する第四開口部を設けて本体を壁体内に埋設する一方、前記正面パネルおよび前記吸込グリルを組み合わせて本体に装着するようにしてなることを特徴とする空気調和機。
【請求項７】
前記第一折返片が、先端部を少許拡開した断面コ字状に形成されてなることを特徴とする請求項１に記載の空気調和機。
【請求項８】
前記第一係合手段および前記第二係合手段により前記底面パネル、前記連結パネルおよび前記正面パネルを係合した際、該係合部をなす当接面が互いに当接して隙間が生じないようにしてなることを特徴とする請求項１に記載の空気調和機。
【請求項９】
前記連結パネルが、前記底面パネル、前記正面パネル、前記吸込グリルおよび前記側面パネルと異なる配色により構成されてなることを特徴とする請求項１乃至請求項５の何れかに記載の空気調和機。
【請求項１０】
梱包時に本体と、前記正面パネル、前記連結パネル、前記底面パネルおよび前記吸込グリルとを標準部材として標準梱包にし、前記側面パネルおよび前記チャンバーをオプション部材として別梱包にしてなることを特徴とする請求項１乃至請求項５の何れかに記載の空気調和機。
【発明の詳細な説明】
【０００１】
【発明の属する技術分野】
本発明は、ダクトタイプの空気調和機に係わり、連結パネルと、正面パネルおよび底面パネルを平面的に連結できるようにし、または直角的に連結できるようにして天井面に吊下げ設置でき、天井裏に底面吹出しまたは正面吹出しで設置でき、床面上にも設置でき、且つ壁体にも埋込設置できるようにした構造に関する。
【０００２】
【従来の技術】
従来の空気調和機には、空気調和する建物や部屋の状況に合わせたシステムとして選択的に使用できるようにし、使用者の利便性を高めるようにしたものとして、天井埋込型空気調和装置の吸込口を、パネル仕様とダクト仕様に共通して使用できる構造にすることにより、一つの共通構造の空気調和機でダクト仕様にもパネル仕様にも使用できるような天井埋込型空気調和装置を提供し、製造、流通コスト面からも使用者の便宜を図るようにすることを目的としたものがあった（例えば、特許文献１参照。）。
【０００３】
しかしながら、上記構成でなる天井埋込型空気調和装置は、例えば隣り合う正面パネル、底面パネルおよび吸込グリルの側部を係脱可能な係止部で係止することにより天井面に吊下げ設置でき、所謂コンシールドタイプとして天井裏に底面吹出しまたは正面吹出しで設置でき、床面上にも設置でき、且つ壁体にも埋込設置できるようにしたものではないことから、これらの異なる設置形態に容易に対応できるようにすることが望まれていた。
【０００４】
【特許文献１】
特開２０００−３０４２９８号公報（第２頁、第１図乃至第４図）
【０００５】
【発明が解決しようとする課題】
本発明においては、上記の問題点に鑑み、連結パネルと、正面パネルおよび底面パネルを平面的に連結できるようにし、または直角的に連結できるようにして天井面に吊下げ設置でき、天井裏に底面吹出しまたは正面吹出しで設置でき、床面上にも設置でき、且つ壁体にも埋込設置できるようにしたダクトタイプの空気調和機を提供することを目的とする。
【０００６】
【課題を解決するための手段】
本発明は、上記課題を解決するため、底面に吸込口を備え、正面に吹出口を備え、同吸込口と同吹出口とを結ぶ空気通路に熱交換器および送風機を配設してなる本体と、前記吸込口に対応する吸込グリルを備え、本体の底面に装着される底面パネルと、前記吹出口に対応する吹出グリルを備え、本体の正面に装着される正面パネルと、これら正面パネルと底面パネルとを着脱可能に連結する連結パネルと、本体の両側面に装着される側面パネルと、前記吹出口に連通して風向を偏向するチャンバーと、前記正面パネルと、前記連結パネルおよび前記底面パネルとを互いに平面的に設置するように係合し、前記連結パネルの前後両端に設けられた第一折返片と、同両第一折返片に対応して前記正面パネルの後端および前記底面パネルの前端に設けられたＬ字状の係合片とからなる第一係合手段と、前記正面パネルと、前記連結パネルおよび前記底面パネルとを互いに直角的に設置するように係合し、前記前端の第一折返片と、同第一折返片に対応して前記正面パネルの前端に設けられた第二折返片と、前記後端の第一折返片に対応する前記係合片とからなる第二係合手段とで構成され、
本体を天井面、天井裏または床面上に設置する場合、設置形態に応じて上記構成でなる部材を適宜組み合わせると共に、前記第一係合手段または前記第二係合手段により係合して、前記正面パネルと、前記連結パネルおよび前記底面パネルとを平面的に、または直角的に設置できるようにしてなる構成となっている。
【０００７】
また、吊下設置型として天井面から吊下げる場合、前記底面パネル、前記連結パネル、前記正面パネル、前記吸込グリルおよび前記側面パネルを組み合わせると共に、前記第二係合手段により前記底面パネル、前記連結パネルおよび前記正面パネルを係合して本体に装着するようにしてなる構成となっている。
【０００８】
また、底面吹出型として天井裏に設置する場合、天井面に前記底面パネル、前記連結パネルおよび前記正面パネルに対応する開口部を連続的に形成する一方、前記チャンバーを接続し、同チャンバーを臨ませた前記底面パネル、前記連結パネル、前記正面パネルおよび前記吸込グリルを組み合わせると共に、前記第一係合手段により前記底面パネル、前記連結パネルおよび前記正面パネルを係合して本体に装着するようにしてなる構成となっている。
【０００９】
また、正面吹出型として天井裏に設置する場合、天井面に前記底面パネルおよび前記連結パネルに対応する第一開口部を形成すると共に、天井裏の正面壁に前記正面パネルに対応する第二開口部を形成する一方、前記正面パネル、前記連結パネル、前記底面パネルおよび前記吸込グリルを組み合わせると共に、前記第二係合手段により前記底面パネル、前記連結パネルおよび前記正面パネルを係合して本体に装着するようにしてなる構成となっている。
【００１０】
また、床面設置型として床面上に設置する場合、前記底面パネル、前記連結パネル、前記正面パネル、前記吸込グリルおよび前記側面パネルを組み合わせると共に、前記第二係合手段により前記底面パネル、前記連結パネルおよび前記正面パネルを係合して本体に装着するようにしてなる構成となっている。
【００１１】
また、底面に吸込口を備え、正面に吹出口を備え、同吸込口と同吹出口とを結ぶ空気通路に熱交換器および送風機を配設してなる本体と、前記吸込口に対応する吸込グリルを備え、本体の底面に装着される底面パネルと、前記吹出口に対応する吹出グリルを備え、本体の正面に装着される正面パネルと、前記吹出口に連通して風向を偏向するチャンバーとで構成され、
埋設型として壁体内に埋設する場合、本体に前記チャンバーを接続すると共に、壁体に同チャンバーに連通する第三開口部および前記吸込口に連通する第四開口部を設けて本体を壁体内に埋設する一方、前記正面パネルおよび前記吸込グリルを組み合わせて本体に装着するようにしてなる構成となっている。
【００１２】
また、前記第一折返片が、先端部を少許拡開した断面コ字状に形成されてなる構成となっている。
【００１３】
また、前記第一係合手段および前記第二係合手段により前記底面パネル、前記連結パネルおよび前記正面パネルを係合した際、該係合部をなす当接面が互いに当接して隙間が生じないようにしてなる構成となっている。
【００１４】
また、前記連結パネルが、前記底面パネル、前記正面パネル、前記吸込グリルおよび前記側面パネルと異なる配色により構成されてなる構成となっている。
【００１５】
また、梱包時に本体と、前記正面パネル、前記連結パネル、前記底面パネルおよび前記吸込グリルとを標準部材として標準梱包にし、前記側面パネルおよび前記チャンバーをオプション部材として別梱包にしてなる構成となっている。
【００１６】
【発明の実施の形態】
以下、本発明の実施の形態を図面に基づいた実施例として詳細に説明する。
図１は本発明による空気調和機の説明図で、（Ａ）は斜視図、（Ｂ）は断面図であり、図２は本発明による空気調和機の分解斜視図であり、図３は本発明による空気調和機の第一の実施例を示す斜視図であり、図４は本発明による空気調和機の説明図で、（Ａ）は第二の実施例を示す斜視図、（Ｂ）は第三の実施例を示す斜視図であり、図５は第三の実施例の要部斜視図であり、図６は第四の実施例の要部斜視図であり、図７は第五の実施例の説明図で、（Ａ）は斜視図、（Ｂ）は要部断面図であり、図８は正面パネル、連結パネルおよび底面パネルの状態を示す説明図で、（Ａ）および（Ｂ）は図４（Ｂ）で示す第三の実施例に対応する要部断面図、（Ｃ）は図４（Ａ）で示す第二の実施例に対応する要部断面図である。
【００１７】
本発明によるダクトタイプの空気調和機は、図で示すように、底面に吸込口１を備え、正面に吹出口２を備え、同吸込口１と同吹出口２とを結ぶ空気通路に熱交換器３および送風機４を配設して本体５が構成されている。
【００１８】
本体５の底面には、前記送風機４を臨ませるように、前記吸込口１に対向する吸込グリル６を備えた底面パネル７が装着されるようになっている。
【００１９】
本体５の正面には、前記吹出口２から前記熱交換器３を臨ませるように、吹出グリル８を備えた正面パネル９が装着されるようになっており、両側面には、側面パネル１１が夫々装着されるようになっている。
【００２０】
前記底面パネル７と前記正面パネル９とは、連結パネル１０を介装することによって着脱可能に連結できるようになっており、例えば前記正面パネル９と、前記連結パネル１０および前記底面パネル７とを互いに平面的に設置するように連結する際、図８（Ｃ）で示すように、前記連結パネル１０の前後両端に設けられた第一折返片１９と、同両第一折返片１９に対応して前記正面パネル９の後端および前記底面パネル７の前端に設けられたＬ字状の係合片２０ｂ  、２１とからなる第一係合手段１３ａ  により、前記正面パネル９と、前記連結パネル１０および前記底面パネル７とが互いに平面的に設置されるように係合する構成になっている。
【００２１】
また、例えば前記正面パネル９と、前記連結パネル１０および前記底面パネル７とを互いに直角的に設置するように連結する際、図８（Ｂ）で示すように、前記前端の第一折返片１９と、同第一折返片１９に対応して前記正面パネル９の前端に設けられた第二折返片２０ａ  と、前記後端の第一折返片１９に対応した前記係合片２１とからなる第二係合手段１３ｂ  により、前記正面パネル９と、前記連結パネル１０および前記底面パネル７とが互いに直角的に設置されるように係合する構成になっている。
【００２２】
上記構成により、図３で示す第一の実施例、図４（Ｂ）および図５で示す第三の実施例、図６で示す第四の実施例のように、前記連結パネル１０を介装して、前記第一折返片１９と、前記第二折返片２０ａ  および前記係合片２１とからなる前記第二係合手段１３ｂ  により互いに係合することによって、前記底面パネル７に対し前記正面パネル９を直交させるように連結した状態で設置できるようになる。
【００２３】
これによって、例えば図３で示す第一の実施例のように、本体５に前記正面パネル９、前記連結パネル１０、前記底面パネル７および前記吸込グリル６を装着すると共に前記側面パネル１１を装着して、吊下設置型として天井面Ａから吊下げるのに好適な構成となる。
【００２４】
または、図４（Ａ）および図８（Ｃ）で示す第二の実施例のように、前記連結パネル１０を介装して、前記第一折返片１９と、前記係合片２０ｂ  、２１とからなる前記第一係合手段１３ａ  により互いに係合することによって、前記底面パネル７に対し前記正面パネル９を同一平面状に連結した状態で設置できるようになる。
【００２５】
これによって、例えば図４（Ａ）および図８（Ｃ）で示す第二の実施例のように、天井面Ａに前記底面パネル７および前記正面パネル９に対応する開口部１４を連続的に形成する一方、本体５に前記チャンバー１２を接続すると共に、同チャンバー１２を臨ませる吹出グリル８を備えた前記正面パネル９、前記連結パネル１０、前記底面パネル７および前記吸込グリル６を装着することにより、底面吹出型として天井裏に設置するのに好適な構成となる。
【００２６】
また、例えば図４（Ｂ）および図５で示す第三の実施例のように天井面Ａ、Ａ’によって段部を有しているような場合、天井面Ａに前記底面パネル７に対応する第一開口部１５を形成すると共に、天井裏の正面壁に前記正面パネル９に対応する第二開口部１６を形成する一方、本体５に前記正面パネル９、前記連結パネル１０、前記底面パネル７および前記吸込グリル６を装着することにより、正面吹出型として天井裏に設置するのに好適な構成となる。
【００２７】
この場合、例えば図８（Ａ）で示すように、前記吹出口２と前記吹出グリル８とを長めの連結ダンパ２２を使って連結したような場合には、前記連結パネル１０を用いる必要はなくなる。
【００２８】
また、例えば図８（Ｂ）で示すように、前記吹出口２と前記吹出グリル８とを短めの連結ダンパ２２を使って連結したような場合には、前記連結パネル１０を使って正確に連結できるようになる。
【００２９】
また、例えば図６で示す第四の実施例のように、床面設置型として床面Ｂ上に設置するのに好適な構成にするため、本体５に前記正面パネル９、前記連結パネル１０、前記底面パネル７および前記吸込グリル６を装着すると共に、前記側面パネル１０を装着するようにしてもよい。
【００３０】
または、図７（Ａ）および図７（Ｂ）で示す第五の実施例のように、埋設型として壁体内に埋設するのに好適な構成にするには、本体５に前記チャンバー１２を接続すると共に、壁体に同チャンバー１２に連通する第三開口部１７および前記吸込口１に連通する第四開口部１８を設けて本体５を壁体内に埋設する一方、前記正面パネル９および前記吸込グリル６を組み合わせて本体５に装着するようにしてもよい。
【００３１】
この場合、本体５に対し前記正面パネル９および前記吸込グリル６を、互いに離間させた状態で組み合わせて装着するようになっているので、図７（Ｂ）で示すように、壁面Ｃを介して上下に前記正面パネル９および前記吸込グリル６を配置させた状態になり、とくに本発明の空気調和機における特有な意匠性を発揮できるので、被空気調和室のインテリア性を高める上で大きな効果を奏するようになっている。
【００３２】
なお、前記吸込グリル６は、図２で示すように、前記底面パネル７に装着されるように構成してもよいし、または、同底面パネル７とは別体の構成部材として同一の幅寸法で形成することによって、埋設型として壁体内に埋設する際、図７（Ａ）で示すように、同一の幅寸法でなる前記正面パネル９と前記吸込グリル６とを上下に設置して、被空気調和室のインテリア性を損ねないようにすることができる。
【００３３】
これらにより、本体５の設置形態に応じて、本体５を天井面Ａ、天井裏もしくは床面Ｂ上に設置する場合、前記正面パネル９、前記連結パネル１０、前記底面パネル７、前記吸込グリル６、前記側面パネル１０および前記チャンバー１２などを適宜組み合わせることによって設置できるようになっていることから、設置形態に対応して必要な構成部材を選択的に組み合わせることができるようになる。
【００３４】
なお、前記連結パネル１０は、上記に説明した本体５の設置形態のうち第五の実施例による埋設型を除いて、前記底面パネル、前記正面パネル、前記吸込グリルおよび前記側面パネルとは異なる配色となるように着色された構成にすることにより、外観上のアクセントにすることができて本体の意匠性を特徴づける上で大きな効果を奏するようになっている。
【００３５】
また、梱包時には本体５と、前記正面パネル９、前記連結パネル１０、前記底面パネル７および前記吸込グリル６とを標準部材として標準梱包にし、前記側面パネル１０および前記チャンバー１２をオプション部材として別梱包にして出荷することにより、据付設置作業時には、本体５の設置形態に対応して前記標準部材と、前記オプション部材とに使い分けできるようになるので便利である。
【００３６】
なお、図８（Ａ）乃至図８（Ｃ）で示すように、前記第一折返片１９が、先端部を少許拡開した断面コ字状に形成される一方、前記一側の第二折返片２０ａ  が断面コ字状に、他側の係合片２０ｂ  が断面Ｌ字状に夫々形成されると共に、前記係合片２１が断面Ｌ字状に形成された構成となっている。
【００３７】
これによって、前記両第一折返片１９を前記他側の係合片２０ｂ  および前記係合片２１に係止する際、前記両第一折返片１９の先端部が少許拡開されているので円滑に、且つ正確に係止できるようになっている。
【００３８】
また同様に、前記第一折返片１９を前記一側の第二折返片２０ａ  に係止する際、前記第一折返片１９の先端部が少許拡開されているので円滑に、且つ正確に係止できる。
【００３９】
また、前記第一係合手段１３ａ  および前記第二係合手段１３ｂ  で係合して、前記正面パネル９、前記連結パネル１０および前記底面パネル７を互いに係合した際、該係合部の一部をなす当接面が、図８（Ｂ）および図８（Ｃ）で示すように、互いに当接して隙間が生じないようにした構成になっているので、機密性や外観性を損ねることがない。
【００４０】
【発明の効果】
以上説明したように、本発明によれば、連結パネルと、正面パネルおよび底面パネルを平面的に連結できるようにし、または直角的に連結できるようにして天井面に吊下げ設置でき、天井裏に底面吹出しまたは正面吹出しで設置でき、床面上にも設置でき、且つ壁体にも埋込設置できるようにしたダクトタイプの空気調和機となる。
【図面の簡単な説明】
【図１】本発明による空気調和機の説明図で、（Ａ）は斜視図であり、（Ｂ）は断面図である。
【図２】本発明による空気調和機の分解斜視図である。
【図３】本発明による空気調和機の第一の実施例を示す斜視図である。
【図４】本発明による空気調和機の説明図で、（Ａ）は第二の実施例を示す斜視図であり、（Ｂ）は第三の実施例を示す斜視図である。
【図５】本発明による空気調和機の第三の実施例の要部斜視図である。
【図６】本発明による空気調和機の第四の実施例の要部斜視図である。
【図７】本発明による空気調和機の第五の実施例の説明図で、（Ａ）は斜視図であり、（Ｂ）は要部断面図である。
【図８】本発明による空気調和機の正面パネル、連結パネルおよび底面パネルの状態を示す説明図で、（Ａ）および（Ｂ）は図４（Ｂ）で示す第三の実施例に対応する要部断面図であり、（Ｃ）は図４（Ａ）で示す第二の実施例に対応する要部断面図である。
【符号の説明】
１  吸込口
２  吹出口
３  熱交換器
４  送風機
５  本体
６  吸込グリル
７  底面パネル
８  吹出グリル
９  正面パネル
１０  連結パネル
１１  側面パネル
１２  チャンバー
１３  係止部
１４  開口部
１５  第一開口部
１６  第二開口部
１７  第三開口部
１８  第四開口部
１９  第一折返片
２０ａ  第二折返片
２０ｂ  係合片
２１    係合片
２２  連結ダクト
Ａ，Ａ’  天井面
Ｂ  床面
Ｃ  壁面
【図１】
2004245502.tif 000003
【図２】
2004245502.tif 000004
【図３】
2004245502.tif 000005
【図４】
2004245502.tif 000006
【図５】
2004245502.tif 000007
【図６】
2004245502.tif 000008
【図７】
2004245502.tif 000009
【図８】
2004245502.tif 000010